(57)【要約】【課題】画像処理装置１において、データ容量を抑えた高圧縮画像データを生成する。【解決手段】画像処理装置１は、制御部２及びスキャナ７を有している。制御部２は、スキャナ７から入力された画像データＩＤをマスクデータＭＤ、前景データＦＤ、及び背景データＢＤに分離する画像分離部２２と、各データＭＤ、ＦＤ、ＢＤをそれぞれ仮圧縮する仮圧縮処理部２５と、各データＭＤ、ＦＤ、ＢＤの圧縮率ＣＲをそれぞれ決定する圧縮率決定部２６と、圧縮率ＣＲを用いて各データＭＤ、ＦＤ、ＢＤを圧縮する圧縮処理部２７と、圧縮した各データＭＤ、ＦＤ、ＢＤから高圧縮ＰＤＦファイルＰＤを生成する高圧縮ＰＤＦ生成部２８と、を有している。仮圧縮処理部２５で仮圧縮した各データＭＤ、ＦＤ、ＢＤの容量が所定の閾値以上の場合、各データＭＤ、ＦＤ、ＢＤの圧縮率を高めて、圧縮処理部２７にて圧縮を行う。【選択図】図１
2015186075.tif 000002
【特許請求の範囲】
【請求項１】
画像データを所定のファイル形式のファイルに変換する画像処理方法であって、
入力された前記画像データに対する処理種別と、前記画像データの種類と、を設定する画像処理モードを、ユーザから受け付けるユーザ設定受付処理と、
前記画像データを複数の分離画像データに分離する画像分離処理と、
前記複数の分離画像データを、前記画像データの種類に対応した設定圧縮率を用いてそれぞれ圧縮する仮圧縮処理と、
前記仮圧縮処理にて圧縮された前記複数の分離画像データのデータ容量合計に応じて、前記複数の分離画像データをそれぞれ圧縮するための複数の再圧縮率を決定する圧縮率決定処理と、
前記複数の分離画像データを前記再圧縮率を用いてそれぞれ圧縮する圧縮処理と、
前記圧縮処理にて圧縮された前記複数の分離画像データを、前記所定のファイル形式に変換して前記ファイルを生成するファイル生成処理と、
を有することを特徴とする画像処理方法。
【請求項２】
前記複数の分離画像データは、前記画像データに含まれる文字の輪郭情報を示すマスクデータと、前記画像データに含まれる文字の色情報を示す前景データと、前記画像データに含まれる背景画像を示す背景データと、を有することを特徴とする請求項１記載の画像処理方法。
【請求項３】
前記所定のファイル形式は、高圧縮ＰＤＦであることを特徴とする請求項１又は２記載の画像処理方法。
【請求項４】
画像データを所定のファイル形式のファイルに変換する画像処理装置であって、
前記画像データを入力する画像データ入力部と、
前記画像データに対する処理種別と、前記画像データの種類と、を設定する画像処理モードを、ユーザから受け付けるユーザ設定受付部と、
前記画像データを複数の分離画像データに分離する画像分離部と、
前記複数の分離画像データを、前記画像データの種類に対応した設定圧縮率を用いてそれぞれ圧縮する仮圧縮処理部と、
前記仮圧縮処理部にて圧縮された前記複数の分離画像データのデータ容量合計に応じて、前記複数の分離画像データをそれぞれ圧縮するための複数の再圧縮率を決定する圧縮率決定部と、
前記複数の分離画像データを前記再圧縮率を用いてそれぞれ圧縮する圧縮処理部と、
前記圧縮処理部にて圧縮された前記複数の分離画像データを、前記所定のファイル形式に変換して前記ファイルを生成するファイル生成部と、
を有することを特徴とする画像処理装置。
【請求項５】
前記圧縮率決定部は、
前記データ容量合計が閾値を超えた場合、前記設定圧縮率よりも高い前記再圧縮率を決定することを特徴とする請求項４記載の画像処理装置。
【請求項６】
前記複数の分離画像データは、前記画像データに含まれる文字の輪郭情報を示すマスクデータと、前記画像データに含まれる文字の色情報を示す前景データと、前記画像データに含まれる背景画像を示す背景データと、を有することを特徴とする請求項４又は５記載の画像処理装置。
【請求項７】
前記圧縮率決定部は、
前記画像データの種類に対応し、前記前景データを圧縮するための第１再圧縮率と、前記背景データを圧縮するための前記第１再圧縮率とは異なる第２再圧縮率と、を決定することを特徴とする請求項６記載の画像処理装置。
【請求項８】
画像データを所定のファイル形式のファイルに変換する画像処理装置であって、
前記画像データを入力する画像データ入力部と、
前記画像データに対する処理種別と、前記画像データの種類と、を設定する画像処理モードを、ユーザから受け付けるユーザ設定受付部と、
前記画像データを複数の分離画像データに分離する画像分離部と、
前記複数の分離画像データを、前記画像データの種類に対応した複数の異なる設定圧縮率を用いてそれぞれ圧縮し、前記所定のファイル形式に変換し、前記複数の異なる設定圧縮率毎に複数の前記ファイルをそれぞれ生成するファイル仮生成部と、
前記複数のファイルを表示し、前記複数のファイルから出力するファイルをユーザに指定させるユーザ指定受付部と、
を有することを特徴とする画像処理装置。
【請求項９】
前記複数の分離画像データは、前記画像データに含まれる文字の輪郭情報を示すマスクデータと、前記画像データに含まれる文字の色情報を示す前景データと、前記画像データに含まれる背景画像を示す背景データと、を有することを特徴とする請求項８記載の画像処理装置。
【請求項１０】
前記画像データに対する処理種別は、前記画像データに対するスキャン処理を行うスキャンモードと、前記画像データに対するコピー処理を行うコピーモードと、前記画像データに対するファクシミリ通信処理を行うファクシミリモードと、を有することを特徴とする請求項４〜９のいずれか１項に記載の画像処理装置。
【請求項１１】
前記画像データの種類は、ドキュメントタイプであり、
前記ドキュメントタイプは、文字情報からなる文字タイプと、写真画像からなる写真タイプと、文字情報及び写真画像からなる文字写真タイプと、を有することを特徴とする請求項４〜１０のいずれか１項に記載の画像処理装置。
【請求項１２】
前記所定のファイル形式は、高圧縮ＰＤＦであることを特徴とする請求項４〜１１のいずれか１項に記載の画像処理装置。
【発明の詳細な説明】
【技術分野】
【０００１】
本発明は、画像データを圧縮変換処理する画像処理方法及び画像処理装置に関するものである。
【背景技術】
【０００２】
利用者であるユーザの操作により画像データを生成して保存する画像処理装置では、保存された画像データによって記憶媒体が圧迫することを防止するために、画像データを圧縮して保存することが一般的に行われている。最近では、高い圧縮率と高画質化を目的として、画像データ内の文字情報と背景画像情報を分離して、それぞれ適切な方式で圧縮する高圧縮ＰＤＦ（Portable  Document  Format；Adobe  Systems社によって開発された電子文書のためのフォーマット）が普及しつつある。
【０００３】
従来、例えば、特許文献１等には、高圧縮ＰＤＦを良好に作成するための画像処理装置が記載されている。この画像処理装置は、画像データ内の文字情報を太字にして強調することで、画像データ内の文字情報と背景画像情報を適切に分離することを可能としている。
【先行技術文献】
【特許文献】
【０００４】
【特許文献１】特開２０００−１９４８５７号公報
【発明の概要】
【発明が解決しようとする課題】
【０００５】
しかしながら、従来の画像処理方法及び画像処理装置では、文字情報が複雑になって、文字情報のデータ容量が大きくなると、高圧縮画像データのデータ容量も大きくなり、記憶媒体を圧迫するという課題があった。
【課題を解決するための手段】
【０００６】
本発明の内の第１の発明の画像処理方法は、画像データを所定のファイル形式のファイルに変換する画像処理方法であって、入力された前記画像データに対する処理種別と、前記画像データの種類と、を設定する画像処理モードを、ユーザから受け付けるユーザ設定受付処理と、前記画像データを複数の分離画像データに分離する画像分離処理と、前記複数の分離画像データを、前記画像データの種類に対応した設定圧縮率を用いてそれぞれ圧縮する仮圧縮処理と、前記仮圧縮処理にて圧縮された前記複数の分離画像データのデータ容量合計に応じて、前記複数の分離画像データをそれぞれ圧縮するための複数の再圧縮率を決定する圧縮率決定処理と、前記複数の分離画像データを前記再圧縮率を用いてそれぞれ圧縮する圧縮処理と、前記圧縮処理にて圧縮された前記複数の分離画像データを、前記所定のファイル形式に変換して前記ファイルを生成するファイル生成処理と、を有することを特徴とする。
【０００７】
第２の発明の画像処理装置は、画像データを所定のファイル形式のファイルに変換する画像処理装置であって、前記画像データを入力する画像データ入力部と、前記画像データに対する処理種別と、前記画像データの種類と、を設定する画像処理モードを、ユーザから受け付けるユーザ設定受付部と、前記画像データを複数の分離画像データに分離する画像分離部と、前記複数の分離画像データを、前記画像データの種類に対応した設定圧縮率を用いてそれぞれ圧縮する仮圧縮処理部と、前記仮圧縮処理部にて圧縮された前記複数の分離画像データのデータ容量合計に応じて、前記複数の分離画像データをそれぞれ圧縮するための複数の再圧縮率を決定する圧縮率決定部と、前記複数の分離画像データを前記再圧縮率を用いてそれぞれ圧縮する圧縮処理部と、前記圧縮処理部にて圧縮された前記複数の分離画像データを、前記所定のファイル形式に変換して前記ファイルを生成するファイル生成部と、を有することを特徴とする。
【０００８】
第３の発明の画像処理装置は、画像データを所定のファイル形式のファイルに変換する画像処理装置であって、前記画像データを入力する画像データ入力部と、前記画像データに対する処理種別と、前記画像データの種類と、を設定する画像処理モードを、ユーザから受け付けるユーザ設定受付部と、前記画像データを複数の分離画像データに分離する画像分離部と、前記複数の分離画像データを、前記画像データの種類に対応した複数の異なる設定圧縮率を用いてそれぞれ圧縮し、前記所定のファイル形式に変換し、前記複数の異なる設定圧縮率毎に複数の前記ファイルをそれぞれ生成するファイル仮生成部と、前記複数のファイルを表示し、前記複数のファイルから出力するファイルをユーザに指定させるユーザ指定受付部と、を有することを特徴とする。
【発明の効果】
【０００９】
本発明の画像処理方法及び画像処理装置によれば、圧縮された画像データのデータ容量が一定の閾値以上であった場合、圧縮率を高めて再度画像データを圧縮し、高圧縮画像データを出力する。これにより、データ圧縮の際に、画像データ内の文字情報と背景画像情報を分離して、それぞれ適切な圧縮率で圧縮することが可能となる。そのため、データ容量を抑えた高圧縮画像データを出力することができる。
【図面の簡単な説明】
【００１０】
【図１】図１は図２の高圧縮ＰＤＦを生成するための画像処理装置１を示す概略の構成図である。
【図２】図２は本発明の実施例１における高圧縮ＰＤＦを生成する過程を示す図である。
【図３】図３は図１中のオペレーションパネル８を示す図である。
【図４】図４は図１の画像処理装置１の画像処理方法を示すフローチャートである。
【図５】図５は図４中のステップＳ４の仮圧縮処理の詳細を示すフローチャートである。
【図６】図６は図４中のステップＳ５の圧縮率決定処理の詳細を示すフローチャートである。
【図７】図７は図６中のステップＳ５８〜Ｓ６０のドキュメントタイプ毎の圧縮率を示す図である。
【図８】図８は本発明の実施例２における画像処理装置１Ａを示す概略の構成図である。
【図９】図９は図８中のオペレーションパネル８に表示されるプレビュー表示画面８６を示す図である。
【図１０】図１０は図８の画像処理装置１Ａの画像処理方法を示すフローチャートである。
【発明を実施するための形態】
【００１１】
本発明を実施するための形態は、以下の好ましい実施例の説明を添付図面と照らし合わせて読むと、明らかになるであろう。但し、図面はもっぱら解説のためのものであって、本発明の範囲を限定するものではない。
【実施例１】
【００１２】
（実施例１の構成）
図２は、本発明の実施例１における高圧縮ＰＤＦを生成する過程を示す図である。
【００１３】
分離処理ＳＴ１において、スキャナ等の画像処理装置に入力された画像データＩＤは、画像データＩＤ内の文字の輪郭を抽出したマスクデータＭＤと、画像データＩＤ内の文字部分の色を抽出した前景データＦＤと、画像データＩＤ内の文字以外の部分を抽出した背景データＢＤと、に分離される。圧縮処理ＳＴ２１において、マスクデータＭＤは、２値データであるため、例えば、２値データに適したＭＭＲ（Modified  Modified  READ:  relative  element  address  designate）符号化方式にて圧縮される。圧縮処理ＳＴ２２において、前景データＦＤは、多値データであるため、例えば、多値データに適したＪＰＥＧ（Joint  Photographic  Experts  Group）方式にて圧縮される。圧縮処理ＳＴ２３において、背景データは、多値データであるため、例えば、多値データに適したＪＰＥＧ（Joint  Photographic  Experts  Group）方式にて圧縮される。その後、結合処理ＳＴ３において、圧縮されたマスクデータＭＤ、前景データＦＤ、及び背景データＢＤは結合されて、高圧縮ＰＤＦファイルＰＤが生成される。
【００１４】
図１（ａ）、（ｂ）は、図２の高圧縮ＰＤＦを生成するための画像処理装置１の概略を示す構成図であり、同図（ａ）は画像処理装置１全体の概略を示す構成図、及び同図（ｂ）は同図（ａ）における制御部２の機能を示す構成図である。
【００１５】
図１（ａ）に示す画像処理装置１は、例えば、デジタルカラー複合機（ＭＦＰ）により構成されている。この画像処理装置１は、装置全体をプログラム制御するための制御部２を有している。制御部２は、中央処理装置（以下「ＣＰＵ」という。）３と、リードオンリメモリ（以下「ＲＯＭ」という。）４と、ランダムアクセスメモリ（以下「ＲＡＭ」という。）５と、を有している。
【００１６】
ＣＰＵ３は、ＲＯＭ４に格納された画像処理プログラムを演算して実行することにより、画像データＩＤの一時記憶や高圧縮ＰＤＦファイルＰＤへの変換等の画像処理制御を行う装置である。ＲＯＭ４は、画像処理プログラムや各種設定値等を格納するための装置であり、読み込み専用の不揮発性メモリである。ＲＡＭ５は、ＲＯＭ４に格納されている画像処理プログラムを読み出して一時的に記憶するための装置であり、読み出し及び書き込みが可能な揮発性メモリである。
【００１７】
制御部２には、データバス、アドレスバス、及び制御バスからなるシステムバス６が接続されている。システムバス６には、スキャナ７と、オペレーションパネル８と、記憶媒体としてのハードディスクドライブ（以下「ＨＤＤ」という。）９と、外部インタフェース（以下「外部Ｉ／Ｆ」という。）１０と、画像形成装置としてのプリンタ１１と、が接続されている。外部Ｉ／Ｆ１０には、例えば、画像処理装置１に対して印刷指示等を行うための、上位装置としてのパーソナルコンピュータ（以下「ＰＣ」という。）１２が接続されている。
【００１８】
スキャナ７は、記録媒体（例えば、用紙）上の画像を読み取って画像データＩＤに変換する装置であり、例えば、載置台、自動原稿搬送器、光源、受光装置、及び信号処理部等を有している。このスキャナ７は、載置台に置かれた用紙上の画像、或いは自動原稿搬送機によって搬送された用紙上の画像に対して、光源から光を照射し、その反射光を受光素子が受光して画像信号として読み取る機能を有している。更に、スキャナ７は、読み取った画像信号に対して、信号処理部がアナログ／デジタル変換（Ａ／Ｄ変換）等の信号処理を施して赤色（Ｒ）、緑色（Ｇ）、及び青色（Ｂ）の形式（以下「ＲＧＢ形式」という。）の画像データＩＤを取得する機能を有している。
【００１９】
オペレーションパネル８は、ユーザの操作により、画像読み取りの開始／中断等の制御信号を送信し、各種設定を選択し、及び制御部２からのメニュー又はメッセージを表示するための装置である。ＨＤＤ９は、スキャナ７から取得された画像データＩＤ、制御部２により変換された高圧縮ＰＤＦファイルＰＤ、及びオペレーションパネル８から設定された入力情報を保存するものであり、読み出し及び書き込みが可能な不揮発性の補助記録装置である。
【００２０】
外部Ｉ／Ｆ１０は、制御部２等とＰＣ１２とを通信可能に接続する機能を有し、例えば、ＵＳＢ（Universal  Serial  Bus）規格のインタフェース（以下「Ｉ／Ｆ」という。）や、ＴＣＰ／ＩＰ（Transport  Control  Protocol/Internet  Protocol）等のネットワークＩ／Ｆにより構成されている。プリンタ１１は、例えば、電子写真方式のページプリンタであり、ＰＣ１２から外部Ｉ／Ｆ１０を介して印刷指示を受信すると、印刷指示におけるＲＧＢ形式の画像データに従い、現像剤で表現可能なシアン色（Ｃ）、マゼンダ色（Ｍ）、黄色（Ｙ）、及び黒色（Ｋ）の形式に変換して用紙に現像剤像を形成する機能を有している。
【００２１】
図１（ｂ）に示す制御部２は、画像データ入力部２１と、この画像データ入力部２１の出力側に接続された画像分離部２２と、ユーザ設定受付部２３と、を有している。ユーザ設定受付部２３の出力側には、ユーザ設定記憶部２４が接続されている。画像分離部２２及びユーザ設定記憶部２４の出力側には、仮圧縮処理部２５が接続されている。ユーザ設定記憶部２４及び仮圧縮処理部２５の出力側には、圧縮率決定部２６が接続されている。画像分離部２２及び圧縮率決定部２６の出力側には、圧縮処理部２７が接続されている。圧縮処理部２７の出力側には、ファイル生成部としての高圧縮ＰＤＦ生成部２８が接続されている。高圧縮ＰＤＦ生成部２８の出力側には、システムバス６を介して、ＨＤＤ９が接続されている。
【００２２】
画像データ入力部２１は、スキャナ７を用いてスキャンしたＲＧＢ形式の画像データＩＤを取得し、取得したＲＧＢ形式の画像データＩＤに対し、画像の陰影を一律に補正するシェーディング補正、画像の濃度を段階的に補正する入力階調補正等の各種画像処理を施し、画像データＩＤを画像分離部２２へ出力する機能を有している。
【００２３】
画像分離部２２は、入力された画像データＩＤから、文字の輪郭を抽出した分離画像データとしてのマスクデータＭＤと、文字の色情報を抽出した分離画像データとしての前景データＦＤと、文字以外の画像部分を抽出した分離画像データとしての背景データＢＤと、に分離し、分離したマスクデータＭＤ、前景データＦＤ、及び背景データＢＤを、仮圧縮処理部２５及び圧縮処理部２７へ出力する機能を有している。
【００２４】
ユーザ設定受付部２３は、オペレーションパネル８を介して、画像データＩＤに対する処理種別及び画像データＩＤの種類を示すユーザ設定ＵＳを受け付け、受け付けたユーザ設定ＵＳをユーザ設定記憶部２４へ出力する機能を有している。
【００２５】
ユーザ設定記憶部２４は、入力されたユーザ設定ＵＳを、ＨＤＤ９に記憶し、そのユーザ設定ＵＳを仮圧縮処理部２５及び圧縮率決定部２６へ出力する機能を有している。
【００２６】
仮圧縮処理部２５は、ユーザ設定記憶部２４から入力されたユーザ設定ＵＳに対応する設定圧縮率を用いて、画像分離部２２から入力されたマスクデータＭＤ、前景データＦＤ、及び背景データＢＤをそれぞれ圧縮し、圧縮したマスクデータＭＤ、前景データＦＤ、及び背景データＢＤを、圧縮率決定部２６へ出力する機能を有している。
【００２７】
圧縮率決定部２６は、仮圧縮処理部２５から入力されたマスクデータＭＤ、前景データＦＤ、及び背景データＢＤのデータ容量をそれぞれ算出して、データ容量合計Ｓを算出する機能を有する。更に、圧縮率決定部２６は、算出したデータ容量合計Ｓと、ユーザ設定記憶部２４から入力されたユーザ設定ＵＳと、から再圧縮率としての圧縮率ＣＲを決定し、この圧縮率ＣＲを、圧縮処理部２７へ出力する機能を有している。
【００２８】
圧縮処理部２７は、圧縮率決定部２６から入力された圧縮率ＣＲを用いて、画像分離部２２から入力されたマスクデータＭＤ、前景データＦＤ、及び背景データＢＤをそれぞれ圧縮し、これらのマスクデータＭＤ、前景データＦＤ、及び背景データＢＤを、高圧縮ＰＤＦ生成部２８へ出力する機能を有している。
【００２９】
高圧縮ＰＤＦ生成部２８は、入力されたマスクデータＭＤ、前景データＦＤ、及び背景データＢＤを結合して、高圧縮ＰＤＦファイルＰＤを生成し、ＨＤＤ９へ出力する機能を有している。
【００３０】
図３（ａ）、（ｂ）は、図１中の画像処理装置１のオペレーションパネル８を示す図であり、同図（ａ）はオペレーションパネル８の外観を示す図、及び同図（ｂ）は同図（ａ）における液晶ディスプレイ８１に画像処理モード設定画面８５が表示された状態を示す図である。
【００３１】
図３（ａ）に示すオペレーションパネル８は、液晶ディスプレイ８１、テンキー８２、選択キー８３、及び読み取り開始ボタン８４から構成されている。液晶ディスプレイ８１は、ユーザの操作状態と、制御部２からのメニュー又はメッセージと、を表示するための装置である。テンキー８２は、液晶ディスプレイ８１に数字を入力するための複数の数字キー等から構成されている。選択キー８３は、液晶ディスプレイ８１に表示される各種機能を選択するためのものであり、上下左右方向に移動させるための上下左右キーと、選択を指示するＯＫキーと、を有している。読み取り開始ボタン８４は、スキャナ７の読み取り動作を開始するためのものである。
【００３２】
図３（ｂ）に示すオペレーションパネル８内の液晶ディスプレイ８１には、ユーザ設定ＵＳを設定するための画像処理モード設定画面８５が表示されている。画像処理モード設定画面８５は、画像処理モードの各設定項目が左側に、設定項目の選択可能な内容が右側に表示されている。画像処理モード設定画面８５には、各設定項目として、モード８５ａ、フォーマット８５ｂ、ドキュメントタイプ８５ｃ、及び設定圧縮率８５ｄが表示されている。
【００３３】
モード８５ａは、画像処理装置１に行わせる処理種別を示すものであり、例えば、スキャン処理を示すスキャンモード、コピー処理を示すコピーモード、又はファクシミリ通信処理を示すファクシミリモードが選択可能である。フォーマット８５ｂは、画像データＩＤを変換するファイル形式を示すものであり、例えば、高圧縮ＰＤＦ、ＪＰＥＧ方式、又はＴＩＦＦ（Tagged  Image  File  Format）方式が選択可能である。ドキュメントタイプ８５ｃは、画像データの種類を示すものであり、写真、文字・写真、又は文字が選択可能である。設定圧縮率８５ｄは、高圧縮ＰＤＦファイルＰＤを生成する際の圧縮率の程度を示すものであり、高、中、低が選択可能である。
【００３４】
圧縮率は、一般的に０〜１００の数値で表わされる。設定圧縮率８５ｄが高い場合、例えば、圧縮率を８０にして圧縮を行い、設定された圧縮率８５ｄが低い場合、例えば、圧縮率を２０にして圧縮を行う。圧縮率は、前景データＦＤを圧縮する際の圧縮率と、背景データＢＤを圧縮する際の圧縮率と、をそれぞれ異なる値にすることが可能であり、ドキュメントタイプ８５ｃ毎に異なる値にすることも可能である。
【００３５】
図３（ｂ）では、網掛けとなっている設定圧縮率８５ｄが設定されている状態を示しており、選択キー８３の上下左右キーにより設定項目を移動可能な状態になっている。
【００３６】
（実施例１の画像処理方法）
図４は、図１（ａ）、（ｂ）の画像処理装置１の画像処理方法を示すフローチャートである。
【００３７】
図４を参照しつつ、図１（ａ）、（ｂ）の画像処理装置１の画像処理方法を説明する。
図１（ａ）の画像処理装置１の電源が投入されると、図３（ｂ）に示すように、オペレーションパネル８内の液晶ディスプレイ８１に画像処理モード設定画面８５が表示され、図４のステップＳ１のユーザ設定受付処理へ進む。
【００３８】
ステップＳ１において、図１（ｂ）のユーザ設定受付部２３は、ユーザがオペレーションパネル８を操作することによりユーザ設定ＵＳを受け付ける。ユーザ設定受付部２３は、ユーザ設定ＵＳをユーザ設定記憶部２４へ出力する。ユーザがオペレーションパネル８の読み取り開始ボタン８４を押下すると、図１（ａ）に示す画像処理装置１のスキャナ７の読み取り動作が開始され、ステップＳ２の画像取得処理へ進む。
【００３９】
ステップＳ２において、画像データ入力部２１は、スキャナ７からＲＧＢ形式の画像データＩＤを取得する。画像データ入力部２１は、取得した画像データＩＤを画像分離部２２へ出力し、ステップＳ３の画像分離処理へ進む。
【００４０】
ステップＳ３において、画像分離部２２は、ステップＳ２にて画像データ入力部２１から入力された画像データＩＤに対して、この画像データＩＤにおける明暗の境界を抽出するエッジ抽出処理等の手法を用いて、文字の輪郭を抽出する。画像分離部２２は、文字の輪郭である箇所を「１」とし、文字の輪郭ではない箇所を「０」とする２値データを作成することで、マスクデータＭＤを作成する。画像分離部２２は、抽出した文字の輪郭から、この文字の輪郭部分の色情報を抽出した前景データＦＤを作成する。画像分離部２２は、前景データＦＤに該当しない箇所の色情報を抽出した背景データＢＤを作成する。更に、画像分離部２２は、マスクデータＭＤ、前景データＦＤ、及び背景データＢＤを、仮圧縮処理部２５及び圧縮処理部２７へ出力し、ステップＳ４の仮圧縮処理へ進む。
【００４１】
ステップＳ４において、仮圧縮処理部２５は、２値データであるマスクデータＭＤをＭＭＲ符号化方式にて圧縮を行い、多値データである前景データＦＤ及び背景データＢＤをＪＰＥＧ方式にて圧縮を行う。このときの圧縮率は、ユーザ設定記憶部２４に記憶された、ユーザ設定ＵＳのドキュメントタイプ８５ｃ及び設定圧縮率８５ｄに対応している。仮圧縮処理部２５は、圧縮したマスクデータＭＤ、前景データＦＤ、及び背景データＢＤを、圧縮率決定部２６へ出力し、ステップＳ５の圧縮率決定処理へ進む。
【００４２】
ステップＳ５において、圧縮率決定部２６は、ステップＳ４にて仮圧縮処理部２５から入力されたマスクデータＭＤ、前景データＦＤ、及び背景データＢＤと、ステップＳ２にてユーザ設定記憶部２４から入力されたユーザ設定ＵＳと、から圧縮率ＣＲを決定する。圧縮率決定部２６は、決定した圧縮率ＣＲを、圧縮処理部２７へ出力し、ステップＳ６の圧縮処理へ進む。
【００４３】
ステップＳ６において、圧縮処理部２７は、ステップＳ３にて画像分離部２２から入力されたマスクデータＭＤ、前景データＦＤ、及び背景データＢＤを、ステップＳ５にて圧縮率決定部２６から入力された圧縮率ＣＲを用いて、それぞれ圧縮する。マスクデータＭＤは、ＭＭＲ符号化方式にて圧縮され、前景データＦＤ及び背景データＢＤは、ＪＰＥＧ方式にて圧縮される。圧縮処理部２７は、圧縮したマスクデータＭＤ、前景データＦＤ、及び背景データＢＤを、高圧縮ＰＤＦ生成部２８へ出力して、ステップＳ７のファイル生成処理としての高圧縮ＰＤＦ作成処理へ進む。
【００４４】
ステップＳ７において、高圧縮ＰＤＦ生成部２８は、ステップＳ６にて圧縮処理部２７から入力されたマスクデータＭＤ、前景データＦＤ、及び背景データＢＤを結合して、高圧縮ＰＤＦファイルＰＤを生成する。その後、高圧縮ＰＤＦ生成部２８は、生成した高圧縮ＰＤＦファイルＰＤを、ＨＤＤ９へ出力して、処理を終了する。
【００４５】
図５は、図４中のステップＳ４の仮圧縮処理の詳細を示すフローチャートである。
図４のステップＳ４の仮圧縮処理が開始されると、図１（ｂ）の仮圧縮処理部２５は、図５のステップＳ４１のドキュメントタイプ判定処理へ進む。
【００４６】
ステップＳ４１において、仮圧縮処理部２５は、ユーザ設定ＵＳのドキュメントタイプ８５ｃを判定する。ドキュメントタイプ８５ｃが写真であった場合、ステップＳ４２の仮圧縮処理へ進む。ドキュメントタイプ８５ｃが文字・写真であった場合、ステップＳ４３の仮圧縮処理へ進む。ドキュメントタイプ８５ｃが文字であった場合、ステップＳ４４の仮圧縮処理へ進む。
【００４７】
ステップＳ４２において、仮圧縮処理部２５は、ドキュメントタイプ８５ｃが写真の場合として予めＲＯＭ４に設定された設定圧縮率としての前景データ圧縮率ＲＦ１及び背景データ圧縮率ＲＢ１を用いて、前景データＦＤ及び背景データＢＤを圧縮し、処理を終了する。
【００４８】
ステップＳ４３において、仮圧縮処理部２５は、ドキュメントタイプ８５ｃが文字・写真の場合として予めＲＯＭ４に設定された設定圧縮率としての前景データ圧縮率ＲＦ２及び背景データ圧縮率ＲＢ２を用いて、前景データＦＤ及び背景データＢＤを圧縮し、処理を終了する。
【００４９】
ステップＳ４４において、仮圧縮処理部２５は、ドキュメントタイプ８５ｃが文字の場合として予めＲＯＭ４に設定された設定圧縮率としての前景データ圧縮率ＲＦ３及び背景データ圧縮率ＲＢ３を用いて、前景データＦＤ及び背景データＢＤを圧縮し、処理を終了する。
【００５０】
図６は、図４中のステップＳ５の圧縮率決定処理の詳細を示すフローチャートである。
図４のステップＳ５の圧縮率決定処理が開始されると、図１（ｂ）の圧縮率決定部２６は、図６のステップＳ５１のデータ容量算出処理へ進む。
【００５１】
ステップＳ５１において、圧縮率決定部２６は、仮圧縮処理部２５から入力されたマスクデータＭＤ、前景データＦＤ、及び背景データＢＤのデータ容量をそれぞれ加算してデータ容量合計Ｓを算出し、ステップＳ５２のデータ容量比較処理へ進む。
【００５２】
ステップＳ５２において、圧縮率決定部２６は、ステップＳ５１にて算出されたデータ容量合計Ｓと、予めＲＯＭ４に格納されたデータ容量閾値ＴＨと、を比較する。データ容量合計Ｓがデータ容量閾値ＴＨより大きい場合（ＹＥＳ）、ステップＳ５７のドキュメントタイプ判定処理へ進み、データ容量合計Ｓがデータ容量閾値ＴＨ以下の場合（ＮＯ）、ステップＳ５３のドキュメントタイプ判定処理へ進む。
【００５３】
ステップＳ５３において、圧縮率決定部２６は、ユーザ設定ＵＳのドキュメントタイプ８５ｃを判定する。ドキュメントタイプ８５ｃが写真であった場合、ステップＳ５４の圧縮率設定処理へ進む。ドキュメントタイプ８５ｃが文字・写真であった場合、ステップＳ５５の圧縮率設定処理へ進む。ドキュメントタイプ８５ｃが文字であった場合、ステップＳ５６の圧縮率設定処理へ進む。
【００５４】
ステップＳ５４において、圧縮率決定部２６は、ステップＳ４２にて仮圧縮処理部２５が圧縮を行った際に使用した前景データ圧縮率ＲＦ１及び背景データ圧縮率ＲＢ１を、圧縮率ＣＲとして設定し、処理を終了する。
【００５５】
ステップＳ５５において、圧縮率決定部２６は、ステップＳ４３にて仮圧縮処理部２５が圧縮を行った際に使用した前景データ圧縮率ＲＦ２及び背景データ圧縮率ＲＢ２を、圧縮率ＣＲとして設定し、処理を終了する。
【００５６】
ステップＳ５６において、圧縮率決定部２６は、ステップＳ４４にて仮圧縮処理部２５が圧縮を行った際に使用した前景データ圧縮率ＲＦ３及び背景データ圧縮率ＲＢ３を、圧縮率ＣＲとして設定し、処理を終了する。
【００５７】
ステップＳ５７において、圧縮率決定部２６は、ユーザ設定ＵＳのドキュメントタイプ８５ｃを判定する。ドキュメントタイプ８５ｃが写真であった場合、ステップＳ５８の圧縮率設定処理へ進む。ドキュメントタイプ８５ｃが文字・写真であった場合、ステップＳ５９の圧縮率設定処理へ進む。ドキュメントタイプ８５ｃが文字であった場合、ステップＳ６０の圧縮率設定処理へ進む。
【００５８】
ステップＳ５８において、圧縮率決定部２６は、ステップＳ４２における前景データ圧縮率ＲＦ１より大幅に高い第１再圧縮率としての前景データ圧縮率ＲＦ＿Ｈ１と、ステップＳ４２における背景データ圧縮率ＲＢ１より微小量だけ高い第２再圧縮率としての背景データ圧縮率ＲＢ＿Ｈ１と、を圧縮率ＣＲとして設定し、処理を終了する。
【００５９】
ステップＳ５９において、圧縮率決定部２６は、ステップＳ４３における前景データ圧縮率ＲＦ２より小幅に高い第１再圧縮率としての前景データ圧縮率ＲＦ＿Ｈ２と、ステップＳ４３における背景データ圧縮率ＲＢ２より小幅に高い第２再圧縮率としての背景データ圧縮率ＲＢ＿Ｈ２と、を圧縮率ＣＲとして設定し、処理を終了する。
【００６０】
ステップＳ６０において、圧縮率決定部２６は、ステップＳ４４における前景データ圧縮率ＲＦ３より微小量だけ高い第１再圧縮率としての前景データ圧縮率ＲＦ＿Ｈ３と、ステップＳ４４における背景データ圧縮率ＲＢ３より大幅に高い第２再圧縮率としての背景データ圧縮率ＲＢ＿Ｈ３と、を圧縮率ＣＲとして設定し、処理を終了する。
【００６１】
図７（ａ）〜（ｃ）は、図６中のステップＳ５８〜Ｓ６０におけるドキュメントタイプ８５ｃ毎の圧縮率の例を示す図であり、同図（ａ）はドキュメントタイプ８５ｃが写真の場合を示す図、同図（ｂ）はドキュメントタイプ８５ｃが文字・写真の場合を示す図、更に、同図（ｃ）はドキュメントタイプ８５ｃが文字の場合を示す図である。
【００６２】
ドキュメントタイプ８５ｃが写真の場合、図７（ａ）に示すように、仮圧縮処理部２５は、ステップＳ４２にて前景データ圧縮率ＲＦ１及び背景データ圧縮率ＲＢ１を用いて仮圧縮を行う。仮圧縮後のデータ容量合計Ｓがデータ容量閾値ＴＨより大きい場合、圧縮処理部２７は、ステップＳ５８にて前景データ圧縮率ＲＦ＿Ｈ１及び背景データ圧縮率ＲＢ＿Ｈ１を用いて圧縮を行う。ドキュメントタイプ８５ｃが写真の場合、文字以外の色情報を表す背景データが重要になる。そのため、前景データ圧縮率ＲＦ＿Ｈ１を前景データ圧縮率ＲＦ１と比較して大幅に高め、背景データ圧縮率ＲＢ＿Ｈ１を背景データ圧縮率ＲＢ１と比較して微小量の変化にする。
【００６３】
ドキュメントタイプ８５ｃが文字・写真の場合、図７（ｂ）に示すように、仮圧縮処理部２５は、ステップＳ４３にて前景データ圧縮率ＲＦ２及び背景データ圧縮率ＲＢ２を用いて仮圧縮を行う。仮圧縮後のデータ容量合計Ｓがデータ容量閾値ＴＨより大きい場合、圧縮処理部２７は、ステップＳ５９にて前景データ圧縮率ＲＦ＿Ｈ２及び背景データ圧縮率ＲＢ＿Ｈ２を用いて圧縮を行う。ドキュメントタイプ８５ｃが文字・写真の場合、文字の色情報を表す前景データ及び文字以外の色情報を表す背景データはどちらも同程度に重要である。そのため、前景データ圧縮率ＲＦ＿Ｈ２を前景データ圧縮率ＲＦ２と比較して小幅に高め、背景データ圧縮率ＲＢ＿Ｈ２を背景データ圧縮率ＲＢ２と比較して小幅に高める。
【００６４】
ドキュメントタイプ８５ｃが文字の場合、図７（ｃ）に示すように、仮圧縮処理部２５は、ステップＳ４４にて前景データ圧縮率ＲＦ３及び背景データ圧縮率ＲＢ３を用いて仮圧縮を行う。仮圧縮後のデータ容量合計Ｓがデータ容量閾値ＴＨより大きい場合、圧縮処理部２７は、ステップＳ６０にて前景データ圧縮率ＲＦ＿Ｈ３及び背景データ圧縮率ＲＢ＿Ｈ３を用いて圧縮を行う。ドキュメントタイプ８５ｃが文字の場合、文字の色情報を表す前景データが重要になる。そのため、前景データ圧縮率ＲＦ＿Ｈ３を前景データ圧縮率ＲＦ３と比較して微小量の変化にし、背景データ圧縮率ＲＢ＿Ｈ３を背景データ圧縮率ＲＢ３と比較して大幅に高める。
【００６５】
（実施例１の効果）
本実施例１の画像処理方法及び画像処理装置１によれば、次の（ａ）〜（ｃ）のような効果がある。
【００６６】
（ａ）  データ容量の圧縮化
仮圧縮処理部２５にて圧縮したマスクデータＭＤ、前景データＦＤ、及び背景データＢＤのデータ容量合計Ｓがデータ容量閾値ＴＨより大きい場合、圧縮処理部２７は、圧縮率を高めて高圧縮ＰＤＦファイルＰＤを作成する。これにより、データ容量を抑えた高圧縮ＰＤＦファイルＰＤを出力することが可能となる。
【００６７】
（ｂ）  適切な圧縮処理の実現
圧縮率決定部２６は、ドキュメントタイプ８５ｃに応じて異なる前景データ圧縮率ＲＦ＿Ｈ１，ＲＦ＿Ｈ２，ＲＦ＿Ｈ３及び背景データ圧縮率ＲＢ＿Ｈ１，ＲＢ＿Ｈ２，ＲＢ＿Ｈ３を決定する。これにより、ドキュメントタイプ８５ｃに対応して重要な情報の圧縮率を低くし、重要ではない情報の圧縮率を高くすることが可能となる。
【００６８】
（ｃ）  ユーザ負担の軽減化
圧縮率決定部２６は、データ容量合計Ｓがデータ容量閾値ＴＨより大きい場合、ユーザの判断によることなく圧縮率を高める。これにより、ユーザに操作の負担をかけることなく、データ容量の小さい高圧縮ＰＤＦファイルＰＤを出力することが可能となる。
【実施例２】
【００６９】
（実施例２の構成）
図８（ａ）、（ｂ）は、本発明の実施例２における画像処理装置１Ａの概略を示す構成図であり、同図（ａ）は画像処理装置１Ａ全体の概略を示す構成図、及び同図（ｂ）は同図（ａ）における制御部２Ａの機能を示すブロック図である。図８（ａ）、（ｂ）は、実施例１を示す図１（ａ）、（ｂ）中の要素と共通の要素には共通の符号が付されている。
【００７０】
図８（ａ）に示す実施例２の画像処理装置１Ａは、実施例１の画像処理装置１における制御部２に代えて、これとは構成の異なる制御部２Ａを有している。その他の画像処理装置１Ａの構成は、実施例１と同様である。
【００７１】
図８（ｂ）に示す実施例２の制御部２Ａは、実施例１の制御部２に対して、仮圧縮処理部２５と、圧縮率決定部２６と、圧縮処理部２７と、高圧縮ＰＤＦ生成部２８と、に代えて、ファイル仮生成部としての高圧縮ＰＤＦ仮生成部２９と、ユーザ指定受付部３０と、高圧縮ＰＤＦ出力部３１と、を有している。画像分離部２２及びユーザ設定記憶部２４の出力側には、高圧縮ＰＤＦ仮生成部２９が接続されている。ユーザ設定記憶部２４及び高圧縮ＰＤＦ仮生成部２９の出力側には、ユーザ指定受付部３０が接続されている。高圧縮ＰＤＦ仮生成部２９及びユーザ指定受付部３０の出力側には、高圧縮ＰＤＦ出力部３１が接続されている。
【００７２】
高圧縮ＰＤＦ仮生成部２９は、ユーザ設定記憶部２４から入力されたユーザ設定ＵＳに対応する圧縮率を用いて、画像分離部２２から入力されたマスクデータＭＤ、前景データＦＤ、及び背景データＢＤをそれぞれ圧縮し、高圧縮ＰＤＦファイルＰＤ１を仮生成する機能を有している。高圧縮ＰＤＦ仮生成部２９は、仮生成した高圧縮ＰＤＦファイルＰＤ１のデータ容量合計Ｓが一定値以上の場合、圧縮率の高い高圧縮ＰＤＦファイルＰＤ２，ＰＤ３を仮生成する機能を有している。更に、高圧縮ＰＤＦ仮生成部２９は、仮生成した複数の高圧縮ＰＤＦファイルＰＤ１，ＰＤ２，ＰＤ３をユーザ指定受付部３０へ出力するか、又は仮生成した高圧縮ＰＤＦファイルＰＤ１を高圧縮ＰＤＦ出力部３１へ出力する機能を有している。
【００７３】
ユーザ指定受付部３０は、高圧縮ＰＤＦ仮生成部２９から入力された高圧縮ＰＤＦファイルＰＤ１，ＰＤ２，ＰＤ３をオペレーションパネル８に表示し、いずれか１つをユーザに指定させ、指定された高圧縮ＰＤＦファイルＰＤを、ユーザ指定受付部３０へ出力する機能を有する。
【００７４】
高圧縮ＰＤＦ出力部３１は、高圧縮ＰＤＦ仮生成部２９から入力された高圧縮ＰＤＦファイルＰＤ１、又は、ユーザ指定受付部３０から入力された高圧縮ＰＤＦファイルＰＤのいずれか１つを、ＨＤＤ９へ出力する機能を有する。その他の制御部２Ａの機能は、実施例１と同様である。
【００７５】
図９は、図８中のオペレーションパネル８内の液晶ディスプレイ８１にプレビュー表示画面８６が表示された状態を示す図である。
【００７６】
オペレーションパネル８内の液晶ディスプレイ８１には、高圧縮ＰＤＦファイルＰＤ１，ＰＤ２，ＰＤ３からいずれか１つをユーザに選択させるためのプレビュー表示画面８６が表示されている。プレビュー表示画面８６には、高圧縮ＰＤＦファイルＰＤ１，ＰＤ２，ＰＤ３毎に、プレビュー８６ａ及びデータ容量８６ｂが表示されている。
【００７７】
プレビュー８６ａは、高圧縮ＰＤＦファイルＰＤ１，ＰＤ２，ＰＤ３の一部を示したものである。データ容量８６ｂは、高圧縮ＰＤＦファイルＰＤ１，ＰＤ２，ＰＤ３のデータ容量を示したものである。図９では、網掛けとなっている高圧縮ＰＤＦファイルＰＤ２が選択されている状態を示しており、選択キー８３の上下左右キーにより選択する高圧縮ＰＤＦファイルＰＤ１，ＰＤ２，ＰＤ３を移動可能な状態になっている。
【００７８】
（実施例２の画像処理方法）
図１０は、図８（ａ）、（ｂ）の画像処理装置１Ａの画像処理方法を示すフローチャートであり、実施例１を示す図４中の要素と共通の要素には共通の符号が付されている。
【００７９】
図１０のフローチャートにおいて、画像処理装置１Ａは、実施例１のステップＳ１〜Ｓ３と同様の処理を行い、ステップＳ１１の高圧縮ＰＤＦ仮生成処理へ進む。
【００８０】
ステップＳ１１において、高圧縮ＰＤＦ仮生成部２９は、実施例１のステップＳ４と同様に、マスクデータＭＤ、前景データＦＤ、及び背景データＢＤを圧縮する。高圧縮ＰＤＦ仮生成部２９は、圧縮されたマスクデータＭＤ、前景データＦＤ、及び背景データＢＤから高圧縮ＰＤＦファイルＰＤ１を仮生成する。高圧縮ＰＤＦ仮生成部２９は、高圧縮ＰＤＦファイルＰＤ１のデータ容量合計Ｓを算出し、ステップＳ１２のデータ容量比較処理へ進む。
【００８１】
ステップＳ１２において、高圧縮ＰＤＦ仮生成部２９は、ステップＳ１１にて算出されたデータ容量合計Ｓと、予めＲＯＭ４に格納されたデータ容量閾値ＴＨと、を比較する。データ容量合計Ｓがデータ容量閾値ＴＨより大きい場合（ＹＥＳ）、ステップＳ１３の高圧縮ＰＤＦ再生成処理へ進み、データ容量合計Ｓがデータ容量閾値ＴＨ以下の場合（ＮＯ）、高圧縮ＰＤＦファイルＰＤ１を高圧縮ＰＤＦ出力部３１へ出力し、ステップＳ１５の高圧縮ＰＤＦ出力処理へ進む。
【００８２】
ステップＳ１３において、高圧縮ＰＤＦ仮生成部２９は、ステップＳ１１にて仮生成した高圧縮ＰＤＦファイルＰＤ１よりも高い圧縮率を用いて、高圧縮ＰＤＦファイルＰＤ２を仮生成する。高圧縮ＰＤＦ仮生成部２９は、高圧縮ＰＤＦファイルＰＤ２よりも高い圧縮率を用いて、高圧縮ＰＤＦファイルＰＤ３を仮生成する。高圧縮ＰＤＦ仮生成部２９は、高圧縮ＰＤＦファイルＰＤ１，ＰＤ２，ＰＤ３をユーザ指定受付部３０へ出力し、ステップＳ１４のユーザ指定受付処理へ進む。
【００８３】
ステップＳ１４において、ユーザ指定受付部３０は、図９に示すように、オペレーションパネル８内の液晶ディスプレイ８１にプレビュー表示画面８６を表示して、いずれか１つをユーザに指定させる。ユーザ指定受付部３０は、ユーザが指定した高圧縮ＰＤＦファイルＰＤを、高圧縮ＰＤＦ出力部３１へ出力し、ステップＳ１５の高圧縮ＰＤＦ出力処理へ進む。
【００８４】
ステップＳ１５において、高圧縮ＰＤＦ出力部３１は、高圧縮ＰＤＦ仮生成部２９から入力された高圧縮ＰＤＦファイルＰＤ１、又は、ユーザ指定受付部３０から入力された高圧縮ＰＤＦファイルＰＤのいずれか１つを、ＨＤＤ９へ出力し、処理を終了する。
【００８５】
（実施例２の効果）
本実施例２の画像処理方法及び画像処理装置１によれば、実施例１の効果に加え、次の（ｄ）のような効果がある。
【００８６】
（ｄ）  ユーザによる出力データの選択可能化
ユーザ指定受付部３０は、高圧縮ＰＤＦファイルＰＤ１，ＰＤ２，ＰＤ３の出力候補をプレビュー表示画面８６に表示し、出力する高圧縮ＰＤＦファイルＰＤをユーザに指定させる。これにより、ユーザが希望する圧縮率の高圧縮ＰＤＦファイルＰＤを、ユーザの操作負担を大きくかけることなく出力することが可能となる。
【００８７】
（変形例）
本発明は、上記実施例１、２に限定されず、種々の利用形態や変形が可能である。この利用形態や変形例としては、例えば、次の（ｉ）〜（ｉｘ）のようなものがある。
【００８８】
（ｉ）  実施例１、２では、画像データＩＤをマスクデータＭＤ、前景データＦＤ、及び背景データＢＤの３つに分離したが、２つ又は４つ以上に分離する方式でもよい。
【００８９】
（ｉｉ）  実施例１、２では、データ容量合計Ｓと比較するデータ容量閾値ＴＨは１つとしたが、ドキュメントタイプ８５ｃ毎に異なる複数のデータ容量閾値ＴＨを設定してもよい。
【００９０】
（ｉｉｉ）  実施例１、２では、データ容量合計Ｓと比較するデータ容量閾値ＴＨは１つとしたが、複数のデータ容量閾値ＴＨを設定し、このデータ容量閾値ＴＨに対応させて、前景データ圧縮率ＲＦ＿Ｈ１〜ＲＦ＿Ｈ３及び背景データ圧縮率ＲＢ＿Ｈ１〜ＲＢ＿Ｈ３を複数設定してもよい。
【００９１】
（ｉｖ）  実施例１では、ドキュメントタイプ８５ｃが写真の場合、背景データ圧縮率ＲＢ＿Ｈ１を微小量だけ高くし、ドキュメントタイプ８５ｃが文字の場合、前景データ圧縮率ＲＦ＿Ｈ３を微小量だけ高くしたが、変化させなくてもよい。このように変更しても、実施例１と同様の効果が得られる。
【００９２】
（ｖ）  実施例１における圧縮処理部２７では、データ容量合計Ｓがデータ容量閾値ＴＨ以下の場合、仮圧縮処理部２５にて用いた前景データ圧縮率ＲＦ１〜ＲＦ３及び背景データ圧縮率ＲＢ１〜ＲＢ３にて再度圧縮したが、仮圧縮処理部２５にて圧縮したマスクデータＭＤ、前景データＦＤ、及び背景データＢＤを入力してそのまま高圧縮ＰＤＦ生成部２８に出力してもよい。
【００９３】
（ｖｉ）  実施例２における高圧縮ＰＤＦ仮生成部２９では、データ容量合計Ｓがデータ容量閾値ＴＨより大きい場合、２つの高圧縮ＰＤＦファイルＰＤ２、ＰＤ３を仮生成したが、１つ又は３つ以上生成してもよい。このように変更しても、実施例２と同様の効果が得られる。
【００９４】
（ｖｉｉ）  図１（ａ）の画像形成装置１及び図８（ａ）の画像形成装置１Ａは、図示以外の構成に変更してもよい。更に、図１（ｂ）の制御部２及び図８（ｂ）の制御部２Ａは、図示以外の機能の構成に変更してもよい。
【００９５】
（ｖｉｉｉ）  実施例１、２では、オペレーションパネル８の構成を、出力用の液晶ディスプレイ８１と、入力操作に用いるテンキー８２、選択キー８３、及び読み取り開始ボタン８４と、を有する構成としたが、同一画面にて入出力が行われるタッチパネル方式にしてもよい。
【００９６】
（ｉｘ）  実施例１、２では、画像処理装置１，１Ａとしてデジタルカラー複合機を例に説明したが、デジタルモノクロ複合機、カラープリンタ、モノクロプリンタ、ファクシミリ装置、複写機、スキャナ、デジタルカメラ、カメラ機能付き携帯端末等の異なる装置においても使用可能である。
【符号の説明】
【００９７】
１，１Ａ  画像処理装置
２，２Ａ  制御部
８  オペレーションパネル
２１  画像データ入力部
２２  画像分離部
２３  ユーザ設定受付部
２５  仮圧縮処理部
２６  圧縮率決定部
２７  圧縮処理部
２８  高圧縮ＰＤＦ生成部
２９  高圧縮ＰＤＦ仮生成部
３０  ユーザ指定受付部
【図１】
2015186075.tif 000003
【図２】
2015186075.tif 000004
【図３】
2015186075.tif 000005
【図４】
2015186075.tif 000006
【図５】
2015186075.tif 000007
【図６】
2015186075.tif 000008
【図７】
2015186075.tif 000009
【図８】
2015186075.tif 000010
【図９】
2015186075.tif 000011
【図１０】
2015186075.tif 000012